(57)【要約】【課題】  本発明の目的は、ハニカム擁壁とその背面に敷設されるジオグリッドとの連結に特殊な専用部材を用いずにかつ十分な強度が維持されるハニカム擁壁とジオグリッドの連結方法及びその擁壁を提供することである。【解決手段】  ジオグリッドが擁壁部背面地山側に固定箇所を有し、当該擁壁部背面地山側からハニカム構造体層の下を通り、当該ハニカム構造体層の法面側側面の単層または複数層を覆い、当該ハニカム構造体層の上部を経て、擁壁部背面地山側に至り、当該擁壁部背面地山側に固定箇所を有する、状態で位置することを特徴とするジオグリッド・ハニカム擁壁。【選択図】図６
2017179963.tif 000002
【特許請求の範囲】
【請求項１】
板状または網状の高分子材料からなるストリップ材をはちの巣構造にしたハニカム状立体補強材に充填材を充填したハニカム構造体を略水平に積層したハニカム構造体層が擁壁部を構成し、当該ハニカム構造体層の地山側に略水平にジオグリッドが配されるジオグリッド・ハニカム擁壁であって、
当該ジオグリッドが擁壁部背面地山側に固定箇所を有し、当該擁壁部背面地山側からハニカム構造体層の下を通り、当該ハニカム構造体層の法面側側面の単層または複数層を覆い、当該ハニカム構造体層の上部を経て、擁壁部背面地山側に至り、当該擁壁部背面地山側に固定箇所を有する、
状態で位置することを特徴とするジオグリッド・ハニカム擁壁。
【請求項２】
当該ジオグリッドが、
擁壁部を構成するハニカム構造体層の背面地山側Ｘにあるジオグリッド（盛土補強部）と、
当該ジオグリッド（盛土補強部）から連続し擁壁部を構成するハニカム構造体層の下にあるジオグリッド（ハニカム構造体下）と、
当該ジオグリッド（ハニカム構造体下）から連続し擁壁部法面を構成するハニカム構造体層の側面部分を覆うようにあるジオグリッド（ハニカム擁壁法面部）と、
当該ジオグリッド（ハニカム擁壁法面部）から連続し擁壁部を構成するハニカム構造体層の上にあるジオグリッド（ハニカム構造体上）と、
当該ジオグリッド（ハニカム構造体上）から連続し擁壁部を構成するハニカム構造体層の背面地山側Ｘにあるジオグリッド（アンカー部）と、
から構成される一体のジオグリッドであることを特徴とする請求項１記載のジオグリッド・ハニカム擁壁。
【請求項３】
前記ジオグリッドが熱可塑性樹脂シートに水抜き用の孔を有する構造であって、当該孔の間隔が縦グリッド材の間隔よりも横グリッド材の間隔が広い縦長の長方形の孔を有するジオグリッドであることを特徴とする請求項１または請求項２のいずれかに記載のジオグリッド・ハニカム擁壁。
【請求項４】
前記ジオグリッドの固定箇所にアンカーピンを有することを特徴とする請求項１から請求項３のいずれかに記載のハニカム擁壁。
【請求項５】
前記ジオグリッドが、ポリオレフィン樹脂製のジオグリッドであることを特徴とする請求項１から請求項４のいずれかに記載のジオグリッド・ハニカム擁壁。
【請求項６】
板状または網状の高分子材料からなるストリップ材をはちの巣構造にしたハニカム状立体補強材に充填材を充填したハニカム構造体を略水平に積層したハニカム構造体層が擁壁部を構成し、当該ハニカム構造体層の地山側に略水平にジオグリッドが配されるジオグリッド・ハニカム擁壁の構築方法であって、
予め整地された設置面にジオグリッドを敷設する工程と、
地山側に当該ジオグリッドの一端部をアンカーピンで固定する工程と、
当該ジオグリッド上のジオグリッド・ハニカム擁壁の法尻となる箇所にハニカム状立体補強材を展張しながら載置する工程と、
当該ハニカム状立体補強材のセルに充填材を充填してハニカム構造体を構築する工程と、
当該ハニカム構造体の地山側の部分に当該ハニカム構造体の天頂のレベルと同じレベルまで盛土材を撒き出してハニカム構造体と同じレベルの段を構築する工程と、
当該ハニカム構造体の上に必要な層数分のハニカム構造体を設置してハニカム構造体層を設置する工程と、
ハニカム構造体層の最下層より飛び出したジオグリッドを屈曲させ、法面部を上部方向に這わせ、ハニカム構造体層の上端部でさらに地山側の方向に屈曲させる工程と、
当該ジオグリッドをハニカム構造体層天頂部に這わせた後、当該ハニカム構造体層の地山側で当該ジオグリッド他端部をアンカーピンで固定する工程、
からなる一連の工程を１ユニットとする工程を含むジオグリッド・ハニカム擁壁の構築方法。
【請求項７】
請求項６記載の１ユニットの工程を複数回繰り返してジオグリッド・ハニカム擁壁を構築するジオグリッド・ハニカム擁壁の構築方法。
【発明の詳細な説明】
【技術分野】
【０００１】
本発明は、複数の長片状の樹脂又は繊維シートからなるストリップ材を幅方向に並設し互いに所定の間隔で千鳥状に繰り返し部分的に接合し、これを前記幅方向と直交する方向に展張することによってハニカム状のセルを形成するハニカム状立体補強材に関し、特に当該ハニカム状立体補強材を展帳して充填材を充填してなるハニカム構造体を積層して構築するハニカム擁壁とジオグリッドとを組み合わせたジオグリッド・ハニカム擁壁に関する。
【背景技術】
【０００２】
従来、複数の長片状の樹脂又は繊維シートからなるストリップ材を幅方向に並設し互いに所定の間隔で千鳥状に繰り返し部分的に接合し、これを前記幅方向と直交する方向に展張することによってハニカム状のセルを形成するハニカム状立体補強材は知られており、このハニカム状立体補強材は土砂・砕石等を充填して（以下、ハニカム状立体補強材に土砂・砕石等を充填した構造体を「ハニカム構造体」と記す）地盤の補強材、道路の路盤材、歩道の基礎材、架設道路、擁壁の資材に利用されてきた。
【０００３】
また、ハニカム構造体を一定の高さまで複数層に積層し擁壁として使用した構造体（以下、「ハニカム擁壁」と記す）もよく知られている（特許文献１、非特許文献１の１１９ページ）。下層のハニカム構造体層に対して、その上に載せるハニカム構造体層を下層よりも地山側に後退させることにより、階段状にハニカム構造体層を形成して階段状のステップを有する法面を作ることができる。その際、後退幅を調節することにより、構築する法面の勾配を調整することができる。
【０００４】
さらに、ハニカム擁壁と地山との結合関係を強化してハニカム擁壁の安定化を強化する方策として、ハニカム擁壁とジオグリッドを併用する方式も検討されてきた。非特許文献２の１１９ページ「図−４．９ジオシンセティックを用いる方法（ｏ）」では、ハニカム擁壁を構成するハニカム構造体層間にジオグリッドを挟み込んで連結し、当該ジオグリッドを地山に食い込ませることによるアンカー効果及び背面土圧の一部を当該ジオグリッドが分担することによる土圧軽減効果でハニカム擁壁を安定させる方式が開示されている。
【０００５】
ハニカム擁壁とジオグリッドを併用する方式について、同様の方法が特許文献２においても記載されている。特許文献２において、
「壁面材を積層させて擁壁を形成し、該擁壁により土壁を補強する補強土壁工法であって、前記壁面材は、複数の略帯状をなす帯部材が所定間隔毎に接合されて形成され、該帯部材同士の非接合部位が互いに離間されることで土砂を拘束する土砂拘束部を形成できるジオセルで構成され、積層される該ジオセルの間に、略格子状をなすシート部材で形成されたジオグリッドの前部側を挟み込むとともに、該ジオグリッドの後部側を盛土内に埋設して前記擁壁を形成することを特徴としている」
と記載されているが、非特許文献２の方法と実質的には同じである。
【０００６】
特許文献３においては、ハニカム擁壁とジオグリッドを強固に結合させるための特別な連結杭が必要であった。
【０００７】
【特許文献１】実用新案第２５８２２６７号公報
【特許文献２】特開２０１２−１６７５０８号公報
【特許文献３】特開２０１５−２１２８６号公報
【非特許文献１】「基礎工 １９９６年１２月号」 総合土木研究所刊 １１９ページ
【非特許文献２】地盤工学会編 「補強土入門」社団法人地盤工学会 １９９９年
【発明の概要】
【発明が解決しようとする課題】
【０００８】
非特許文献２及び特許文献２のハニカム構造体（ジオセル）とジオグリッドよりなる擁壁（以下、「ジオグリッド・ハニカム擁壁」と記す）は、ハニカム擁壁を構成する各ハニカム構造体層間に背面に敷設するジオグリッドの前部側（壁面部側）を挟み込むだけで構成されており、ハニカム構造体とジオグリッドとの間の一体性が充分ではない。すなわち、ハニカム擁壁と背面のジオグリッドとはジオグリッドの上に載置されるハニカム構造体層の自重とハニカム構造体の充填材からなる摩擦力に依存しており、ハニカム構造体とジオグリッドの連結は充分ではない。またハニカム擁壁の壁面方向に過剰な力が掛かった場合、背面のジオグリッドが抜けてしまう恐れがあった。特許文献３の方法では、ハニカム構造体とジオグリッドとの連結部に特殊で強固な連結部材を使わなければならず、施工面コスト面からも課題であった。
【０００９】
本発明の目的は、ハニカム擁壁とその背面に敷設されるジオグリッドとの連結に特殊な専用部材を用いずにかつ十分な強度が維持されるハニカム擁壁とジオグリッドの連結方法及びその擁壁を提供することである。
【課題を解決するための手段】
【００１０】
本発明者は、ジオグリッド・ハニカム擁壁の背面部地山側に敷設されるジオグリッドが法面部を構成するハニカム構造体を巻き込むように設置することで、ジオグリッドとハニカム構造体が強固に連結されることを見いだした。
【００１１】
請求項１記載の発明は、
板状または網状の高分子材料からなるストリップ材をはちの巣構造にしたハニカム状立体補強材に充填材を充填したハニカム構造体を略水平に積層したハニカム構造体層が擁壁部を構成し、当該ハニカム構造体層の地山側に略水平にジオグリッドが配されるジオグリッド・ハニカム擁壁であって、
当該ジオグリッドが擁壁部背面地山側に固定箇所を有し、当該擁壁部背面地山側からハニカム構造体層の下を通り、当該ハニカム構造体層の法面側側面の単層または複数層を覆い、当該ハニカム構造体層の上部を経て、擁壁部背面地山側に至り、当該擁壁部背面地山側に固定箇所を有する、
状態で位置することを特徴とするジオグリッド・ハニカム擁壁である。
【００１２】
請求項２記載の発明は、
当該ジオグリッドが、
擁壁部を構成するハニカム構造体層の背面地山側Ｘにあるジオグリッド（盛土補強部）と、
当該ジオグリッド（盛土補強部）から連続し擁壁部を構成するハニカム構造体層の下にあるジオグリッド（ハニカム構造体下）と、
当該ジオグリッド（ハニカム構造体下）から連続し擁壁部法面を構成するハニカム構造体層の側面部分を覆うようにあるジオグリッド（ハニカム擁壁法面部）と、
当該ジオグリッド（ハニカム擁壁法面部）から連続し擁壁部を構成するハニカム構造体層の上にあるジオグリッド（ハニカム構造体上）と、
当該ジオグリッド（ハニカム構造体上）から連続し擁壁部を構成するハニカム構造体層の背面地山側Ｘにあるジオグリッド（アンカー部）と、
から構成される一体のジオグリッドであることを特徴とする請求項１記載のジオグリッド・ハニカム擁壁である。
【００１３】
本発明は、積層されたハニカム構造体とハニカム構造体層の背面部より設置されるジオグリッドからなるジオグリッド・ハニカム擁壁であり、法面部を形成するために積層されたハニカム構造体をジオグリッドで抱き込むように巻き込んだ構成をしたジオグリッド・ハニカム擁壁であることを発明の要旨としている。
【００１４】
本発明のように法面部を形成するために積層されたハニカム構造体をジオグリッドで抱き込むように巻き込んだ構成をしたジオグリッド・ハニカム擁壁の構成であれば、ジオグリッド・ハニカム擁壁の最大の弱点であるジオグリッドとハニカム構造体の接続という難点を克服することができる。
【００１５】
請求項３記載の発明は、
前記ジオグリッドが熱可塑性樹脂シートに水抜き用の孔を有する構造であって、当該孔の間隔が縦グリッド材の間隔よりも横グリッド材の間隔が広い縦長の長方形の孔を有するジオグリッドであることを特徴とする請求項１または請求項２のいずれかに記載のジオグリッド・ハニカム擁壁である。    
【００１６】
本発明のジオグリッド・ハニカム擁壁を構成するジオグリッドは、孔を有する熱可塑性樹脂製であるため、屈曲性がよく法面に追従しやすく、またハニカム擁壁のステップ部分に容易に水を通す。
【００１７】
請求項４記載の発明は、
前記ジオグリッドの固定箇所にアンカーピンを有することを特徴とする請求項１から請求項３のいずれかに記載のハニカム擁壁である。
【００１８】
請求項５記載の発明は、
前記ジオグリッドが、ポリオレフィン樹脂製のジオグリッドであることを特徴とする請求項１から請求項４のいずれかに記載のジオグリッド・ハニカム擁壁である。
【００１９】
請求項６記載の発明は、
板状または網状の高分子材料からなるストリップ材をはちの巣構造にしたハニカム状立体補強材に充填材を充填したハニカム構造体を略水平に積層したハニカム構造体層が擁壁部を構成し、当該ハニカム構造体層の地山側に略水平にジオグリッドが配されるジオグリッド・ハニカム擁壁の構築方法であって、
予め整地された設置面にジオグリッドを敷設する工程と、
地山側に当該ジオグリッドの一端部をアンカーピンで固定する工程と、
当該ジオグリッド上のジオグリッド・ハニカム擁壁の法尻となる箇所にハニカム状立体補強材を展張しながら載置する工程と、
当該ハニカム状立体補強材のセルに充填材を充填してハニカム構造体を構築する工程と、
当該ハニカム構造体の地山側の部分に当該ハニカム構造体の天頂のレベルと同じレベルまで盛土材を撒き出してハニカム構造体と同じレベルの段を構築する工程と、
当該ハニカム構造体の上に必要な層数分のハニカム構造体を設置してハニカム構造体層を設置する工程と、
ハニカム構造体層の最下層より飛び出したジオグリッドを屈曲させ、法面部を上部方向に這わせ、ハニカム構造体層の上端部でさらに地山側の方向に屈曲させる工程と、
当該ジオグリッドをハニカム構造体層天頂部に這わせた後、当該ハニカム構造体層の地山側で当該ジオグリッド他端部をアンカーピンで固定する工程、
からなる一連の工程を１ユニットとする工程を含むジオグリッド・ハニカム擁壁の構築方法である。
【００２０】
請求項７記載の発明は、
請求項６記載の１ユニットの工程を複数回繰り返してジオグリッド・ハニカム擁壁を構築するジオグリッド・ハニカム擁壁の構築方法である。
【発明の効果】
【００２１】
本発明により、法面部のハニカム構造体層と背面部のジオグリッドとの一体性があり、背面からの土圧に強いジオグリッド・ハニカム擁壁を提供することができる。
【図面の簡単な説明】
【００２２】
【図１】ハニカム状立体補強材の展張前の斜視図である。
【図２】ハニカム状立体補強材を展張した際の斜視図である。
【図３】従来型のハニカム擁壁の斜視図である。
【図４】従来型のハニカム擁壁の断面図である。
【図５】本発明のジオグリッド・ハニカム擁壁の斜視図である。
【図６】本発明のジオグリッド・ハニカム擁壁の断面図である。
【図７】本発明のジオグリッド・ハニカム擁壁の部分断面図である。
【図８】本発明のジオグリッド・ハニカム擁壁の構築の際のジオグリッド敷設時の断面図である。
【図９】本発明のジオグリッド・ハニカム擁壁の構築の際のジオグリッド巻き込み時の断面図である。
【図１０】本発明のジオグリッド・ハニカム擁壁の構築の際の1ユニット目設置後に２ユニット目を設置する際の断面図である。
【図１１】本発明に用いるジオグリッドの斜視図である。
【図１２】本発明に用いるアンカーピンの正面図である。
【発明を実施するための形態】
【００２３】
以下、本発明の実施形態について、図面を用いて説明する。なお、すべての図面において、同様の構成要素には同一の符号を付し、適宜に説明を省略する。また、本実施形態は、本発明を実施するための一形態に過ぎず、本発明は本実施形態によって限定されるものではなく、本発明の要旨を逸脱しない範囲で種々の変更実施の形態が可能である。
【００２４】
〔実施形態〕
本発明は、積層されたハニカム構造体とハニカム構造体層の背面部より設置されるジオグリッドからなるジオグリッド・ハニカム擁壁であり、法面部を形成するために積層されたハニカム構造体をジオグリッドで抱き込むように巻き込んだ構成をしたジオグリッド・ハニカム擁壁であることを発明の要旨としているが、このような事例はこれまで知られていない。
【００２５】
すなわち本発明は、
板状または網状の高分子材料からなるストリップ材をはちの巣構造にしたハニカム状立体補強材に充填材を充填したハニカム構造体を略水平に積層したハニカム構造体層が擁壁部を構成し、当該ハニカム構造体層の地山側に略水平にジオグリッドが配されるジオグリッド・ハニカム擁壁であって、
当該ジオグリッドが擁壁部背面地山側に固定箇所を有し、当該擁壁部背面地山側からハニカム構造体層の下を通り、当該ハニカム構造体層の法面側側面の単層または複数層を覆い、当該ハニカム構造体層の上部を経て、擁壁部背面地山側に至り、当該擁壁部背面地山側に固定箇所を有する、
状態で位置することを特徴とするジオグリッド・ハニカム擁壁である。
【００２６】
本願発明に使用するハニカム状立体補強材及びハニカム構造体を説明する。
図１は、本願発明に使用するハニカム状立体補強材（３セル）の展張前の斜視図である。本実施形態では３セルのハニカム状立体補強材を例示したが、ハニカム状立体補強材のセル数は３セルに限らず何セルあってもよい。以下、当該ハニカム状立体補強材から作成されるハニカム構造体やハニカム擁壁についても同様である。ハニカム状立体補強材１は、複数の長片状の樹脂又は繊維シートからなるストリップ材２を幅方向に並設し互いに所定の間隔で千鳥状に繰り返し部分的に一定間隔の結合部位４にて結合したものである。このハニカム状立体補強材１は展張方向ａに展張してハニカム状のセル構造を形成する。ハニカム状立体補強材に利用される素材は樹脂が好ましく、樹脂の中でも高密度ポリエチレンが好適である。
【００２７】
ストリップ材２にはセル内に溜まる水を排出するために孔３を設ける場合がある。孔の大きさや形状はどのようなものでもよい。孔の数は多い方が良いが、多すぎるとストリップ材の強度が低下するため、ストリップ材の面積の４０％を越えない程度の数がよい。また孔の配置は直列でも千鳥配置でもよい。ただし、法面部を構成する一番外側のストリップ材は孔を設けない方が見た目がよい。図３は一番外側のストリップ材に孔を設けない例を示している。
【００２８】
図２は、図１で示したハニカム状立体補強材（３セル）を展張した際の斜視図である。ハニカム状立体補強材１を展張すると、ハニカム状のセル５が形成される。一般的なハニカム状立体補強材１の使用方法としては、ハニカム状立体補強材セル５内にセルの高さまで充填材を充填して締め固めを行うことにより、剛性のあるハニカム構造体６を形成させる。
【００２９】
展帳したハニカム状立体補強材のセル５に充填する充填材としては、砂、土砂、砕石などどのような土質材料のものでも使用できる。また充填材には、コンクリート、モルタルのような固化するものも利用可能である。
【００３０】
次に従来型のハニカム擁壁について説明する。
図３は、ハニカム構造体６を積層して構築した従来型のハニカム擁壁（３セル）の斜視図である。当該ハニカム構造体を略水平に積み重ねて施工することにより、ハニカム擁壁を形成することができる。ハニカム構造体６の積み重ねの際に、ステップを設けなければ直壁のハニカム擁壁が構築できる。また、ハニカム構造体６を積み重ねるたびに各層ごとに地山側に後退させると、勾配を有する法面を形成することができる。当該法面の勾配はハニカム構造体６の後退幅に応じて、様々な法面勾配を形成することができる。
【００３１】
図４には図３で示した従来型のハニカム擁壁の断面図を図示した。図４の従来型のハニカム擁壁の断面は、図３で示したｚ平面で切り取られた断面であり、その断面を視線方向ｂから見たものである。またこの視線方向ｂにおけるｚ平面は、図１及び図２とも共通する。なお、ｚ平面で切り取られた断面で地山側をＸ、法面側をＹと示した。
【００３２】
図３及び図４のようなハニカム構造体のみからなるハニカム擁壁は、あまり高い擁壁高の擁壁を構築することができないが、ハニカム構造体の背面地山側にジオグリッドを設置した場合には背面のジオグリッドがハニカム擁壁設置部分よりも地山側から起こる擁壁の円弧滑り崩壊を抑制するためにより高いハニカム擁壁を構築することが可能で、この擁壁をジオグリッド・ハニカム擁壁と称す。
【００３３】
ジオグリッド・ハニカム擁壁を構築する上での問題点は、ハニカム擁壁部と地山側のジオグリッド部を如何に連結させるかであり、特許文献３ではハニカム擁壁部とジオグリッド部とを専用杭部材で連結していた。本発明ではこの専用杭部材での連結が不要である。
【００３４】
次に本発明のジオグリッド・ハニカム擁壁について説明する。
図５は、本発明のジオグリッド・ハニカム擁壁（３セル）の斜視図である。図６には図５で示した本発明のジオグリッド・ハニカム擁壁（３セル）の断面図である。図７は、図６の断面のうち一番下の部分を拡大した断面図である。
【００３５】
図６の本発明のジオグリッド・ハニカム擁壁の断面は、図５で示したｚ平面で切り取られた断面であり、その断面を視線方向ｂから見たものである。またこの視線方向ｂにおけるｚ平面は、図１、図２及び図７〜１０とも共通する。なお、ｚ平面で切り取られた断面で地山側をＸ、法面側をＹと示した。
【００３６】
本発明のジオグリッド・ハニカム擁壁は、図６に示すようにハニカム擁壁部のハニカム構造体６を巻き込むようにジオグリッド７が設置される構造をなす。すなわち、特許文献２及び特許文献３に示される従来のジオグリッド・ハニカム擁壁はハニカム擁壁部の地山側でジオグリッドと連結されていた。しかし本発明では、ジオグリッド７は地山側Ｘからハニカム擁壁部のハニカム構造体６の下を通り、ハニカム擁壁の法面側Ｙの表面に一旦出て、ハニカム擁壁の法面部の上をジオグリッド７が覆い被さるように敷設し、当該ジオグリッド７が単層から複数層のハニカム構造体６の法面部を巻き込んだ後に、巻き込まれたハニカム構造体の一番上を通り、当該ジオグリッド７はハニカム構造体６の地山側Ｘまで延設して、アンカーピン８などで固定されている。
【００３７】
詳しくは図７のように、本発明で用いられるジオグリッドは、
擁壁部を構成するハニカム構造体層の背面の地山側Ｘに配置される「ジオグリッド（盛土補強部）」７ａと、
「ジオグリッド（盛土補強部）」７ａから連続し、擁壁部を構成するハニカム構造体層の下に配置される「ジオグリッド（ハニカム構造体下）」７ｂと、
「ジオグリッド（ハニカム構造体下）」７ｂから連続し、ジオグリッド・ハニカム擁壁の法面部となるハニカム構造体層側面部分を覆うように配置される「ジオグリッド（ハニカム擁壁法面部）」７ｃと、
「ジオグリッド（ハニカム擁壁法面部）」７ｃから連続し、擁壁部を構成するハニカム構造体層の上に配置される「ジオグリッド（ハニカム構造体上）」７ｄと、
「ジオグリッド（ハニカム構造体上）」７ｄから連続し、擁壁部を構成するハニカム構造体層の背面の地山側Ｘに配置される「ジオグリッド（アンカー部）」７ｅと、
から構成される。
この一連の連続構造でハニカム構造体層を巻き込むジオグリッド構造の1ユニット分を構成する。
【００３８】
「ジオグリッド（盛土補強部）」７ａ〜「ジオグリッド（ハニカム構造体下）」７ｂ〜「ジオグリッド（ハニカム擁壁法面部）」７ｃ〜「ジオグリッド（ハニカム構造体上）」７ｄ〜「ジオグリッド（アンカー部）」７ｅの各部分は連続しており、１枚の長いジオグリッド７で構成されている。一方で、当該ジオグリッド７の長さが充分足りない場合はジオグリッド同士を接続する接続材などを用いて、１枚のジオグリッドと同等の機能を有する構造にして用いてもよい。
【００３９】
１枚のジオグリッドは、「ジオグリッド（盛土補強部）」７ａ部分の地山側Ｘでアンカーピン８などの固定手段で盛土もしくは地山に固定され、ハニカム構造体の載置される箇所まで達し、そこから「ジオグリッド（ハニカム構造体下）」７ｂとなりハニカム構造体の法面側Ｙの端部にて法面の外側（法面側Ｙ）に出て、そこから法面勾配に沿った角度に折り返して「ジオグリッド（ハニカム擁壁法面部）」７ｃを構成し、単層または複数層のハニカム構造体層分を上がったところで地山側Ｘの方向へ再度折り返して「ジオグリッド（ハニカム構造体上）」７ｄを構成し、ハニカム構造体部分の地山側Ｘの端部から当該ジオグリッドに巻き込まれたハニカム構造体の上端よりも少し高さレベルを下げたレベルに敷設されてアンカーピン８などの固定手段で盛土に固定される「ジオグリッド（アンカー部）」７ｅで終点となる。
【００４０】
「ジオグリッド（盛土補強部）」７ａ部分は、当該ジオグリッド・ハニカム擁壁全体の構造を維持する補強土壁の構成要素で、「ジオグリッド（盛土補強部）」７ａ部分の長さは補強土壁工法の構造計算で導き出された擁壁構造の安定性を担保できるような敷設長分を確保できるように敷設する。
【００４１】
「ジオグリッド（アンカー部）」７ｅ部分は、当該ジオグリッド・ハニカム擁壁のハニカム構造体部分が地山側Ｘからの背面土圧によって動くことを押さえるためのアンカー材としての役目を果たしており、概ね「ジオグリッド（ハニカム構造体上）」７ｄのハニカム構造体の地山側端部より１．５ｍ程度が好適である。「ジオグリッド（アンカー部）」７ｅ部分は「ジオグリッド（ハニカム構造体上）」７ｄのレベルよりも若干低いレベルに設置すると好適で有り、好ましくは「ジオグリッド（ハニカム構造体上）」７ｄのレベルより５ｃｍ〜１０ｃｍ程度低くしたほうがよい。これは、「ジオグリッド（アンカー部）」７ｅの敷設レベルを「ジオグリッド（ハニカム構造体上）」７ｄの敷設レベルと同じにしてしまうと、当該ハニカム構造体層を巻き込むジオグリッド構造のユニットのすぐ上に配置される次の段のユニットの「ジオグリッド（盛土補強部）」７ａ及び「ジオグリッド（ハニカム構造体下）」７ｂと重なり合ってしまい、ジオグリッド同士の重なりが滑り面となり、ジオグリッド・ハニカム擁壁が安定しない恐れがあるためである。下部ユニット上部のジオグリッドと上部ユニット下部のジオグリッドの間に盛土材を介することで、十分な摩擦力を確保し、ジオグリッド・ハニカム擁壁を安定化に寄与することができる。
【００４２】
また本発明のように、ジオグリッド・ハニカム擁壁の法面部にジオグリッドが覆い被さるように配されると、冬季に積雪した法面上の雪が春先に融雪する際に積雪が法面をうまく滑り降り法面部を構成するハニカム状立体補強材のめくれが発生しないなど副次的な長所がある。
【００４３】
すなわち図３及び図４のように、従来型のハニカム擁壁の法面部はハニカム構造体６の端部が段々畑のように水平面と垂直面が交互に現れるステップ構造である。降雪の多い地方ではこの法面部に積雪しそれが根雪となり、春先の融雪の際にその積雪が一気に崩落する。積雪が崩落する際にステップの端部が崩落時の力で押し出され、ストリップ材端部のめくれや破損が発生する。ハニカム擁壁法面部のストリップ材端部の破損はハニカム構造体に充填された充填材のこぼれを引き起こし、法面部を壊してしまうという問題があるが、本発明のジオグリッド・ハニカム擁壁ではそのリスクが回避される。
【００４４】
すなわち本発明は、ジオグリッド・ハニカム擁壁を構成するハニカム構造体の各段の上端部を橋渡しするようにジオグリッドをかぶせて施工されているため雪解けの際にストリップ材めくれが発生しない法面になる。
【００４５】
図５や図６に示すように階段状に積層されたハニカム構造体６と法面を這わせるジオグリッド７の間には空間ができる。この空間にはハニカム構造体６の法面部ステップ部分に植物が生えるための好適な空間となる。また、この空間に植生土のうをおいて緑化することも可能である。
【００４６】
次に本発明に使用するジオグリッドについて説明する。
図１１は、本願発明に使用するジオグリッドの斜視図である。図１１にはジオグリッドの一例として三井化学産資株式会社より販売されている商品名テンサー（登録商標）を示した。
【００４７】
本発明に使用するジオグリッドは、熱可塑性樹脂シートに水抜き用の孔を有するもので、土木分野で広く利用されている。とりわけ本発明に利用可能なジオグリッドとしては、熱可塑性樹脂製、とりわけ耐水性、耐薬品性に優れたポリエチレン、ポリプロピレン等のポリオレフィン樹脂製であって、高強度の１軸又は２軸に延伸された網状物を使用するのが好ましい。またさらなる強度、耐水性、耐久性などを考慮すると、カーボンブラックなどの充填剤を配合したものが望ましい。その網目については、１軸延伸品である図１１に示すような細長の網目や２軸延伸物である短辺と長辺が近似した形状の方形網目など種々の網目形状のものが使用できる。網目大きさも任意であるが、とくに好適なポリエチレン製１軸延伸物について述べると、目合い寸法が横１５〜３０ｍｍ、縦８０〜２５０ｍｍ程度のものを使用するのが好ましい。
【００４８】
このようなポリオレフィン樹脂製ジオグリッドとして、三井化学産資株式会社より販売されている商品名テンサー（登録商標）、前田工繊株式会社より販売されている商品名アデム（登録商標）、を例示することができるが、あらゆる会社のジオグリッドが本発明には利用可能である。
【００４９】
本発明に利用可能なジオグリッドとしては、図１１に示したように網目を構成する孔が長方形であるものが好ましく、とりわけ縦グリッド材７ｘの間隔よりも横グリッド材７ｙの間隔が広い縦長の長方形形状が望ましい。また横グリッド材７ｙの断面形状が扁平であればあるほどよい。
【００５０】
本発明でジオグリッドは地山側Ｘに固定されるが、ジオグリッドのどのような固定方法でもよいが、図６〜図７に示すようにアンカーピン８などの杭を用いることもできる。アンカーピン８は図１２に示すような長さ２０ｃｍ程度で頭部に鍵などの突起を有するものが好適である。
【００５１】
図１２は、本願発明のジオグリッドの固定に使用可能なアンカーピンの正面図である。本発明の使用に好適なアンカーピンは、ピンの下端は鋭角で尖った釘先部８ｃを有し、頭頂部８ａは軸部８ｂより幅広のフック構造をしている。釘先部８ｃは地盤を牙孔して地盤に食い込めるほどの強度を有し、頭頂部８ａはジオグリッドを引き留められるほどの幅広フックになっているとよい。
【００５２】
次に本発明のジオグリッド・ハニカム擁壁の施工手順の一例について図８〜図１０を用いて説明する。図８〜図１０の断面図は図６の断面及び視線方向ｂにおけるｚ平面と共通するものである。なお、ｚ平面で切り取られた断面で地山側をＸ、法面側をＹと示した。
【００５３】
図８はジオグリッド・ハニカム擁壁の設置面に一層目のハニカム構造体６を設置する際の断面図である。予め整地されたジオグリッド・ハニカム擁壁の設置面にハニカム状立体補強材を設置する前にジオグリッド７を敷設する。このジオグリッド７は、補強土壁工法の構造計算で導き出された敷設長分の長さを確保できる程度に地山側Ｘにアンカーピン８などの固定手段で固定する。敷設されたジオグリッド上のジオグリッド・ハニカム擁壁の法尻となる箇所にハニカム状立体補強材１を展張しながら載置する。
【００５４】
次にジオグリッド７の上に展張しながら載置したハニカム状立体補強材１のセルに充填材を充填してハニカム構造体６を構築する。また、ハニカム構造体の地山側Ｘの部分にもハニカム構造体の天頂のレベルと同じレベルまで盛土材を撒き出してハニカム構造体と同じレベルの段を構築する。この際、必要に応じて転圧作業を行う。
【００５５】
ジオグリッド７に巻き込むハニカム構造体を複数層設置するのであれば、当該ハニカム構造体６の上に必要な層数分を設置する。施工手順は前述と同様であり、すでに設置されたハニカム構造体６の上にハニカム状立体補強材１を展張しながら載置して、セルに充填材を充填する。また、ハニカム構造体の地山側Ｘの部分にもハニカム構造体の天頂のレベルと同じレベルまで盛土材を撒き出してハニカム構造体と同じレベルの段を構築する。この際、必要に応じて転圧作業を行う。
【００５６】
図９はハニカム構造体層を３層積層後にジオグリッドを巻き込んだ際の断面図である。当該実施形態ではハニカム構造体層を巻き込むジオグリッド構造1ユニットのハニカム構造体層の層数が３層である例を示している。ハニカム構造体を３層積層後に当該ユニットのハニカム構造体層の最下層より飛び出したジオグリッドを屈曲させ、法面部を上部方向に這わせ、３層目の上端部でさらに地山側Ｘの方向に屈曲させる。当該ジオグリッドはハニカム構造体天頂部を這わせた後、最上部のハニカム構造体の地山側Ｘの端部からハニカム構造体天頂部のレベルよりも若干低いレベルに敷設し、アンカー部を形成する。アンカー部の端部にてジオグリッド７はアンカーピン８などの固定手段を用いて固定される。アンカー部の上はハニカム構造体の天頂部のレベルまで盛土材を撒いて、水平の版を形成する。このようにハニカム構造体層を巻き込むジオグリッド構造1ユニット分を構築する。
【００５７】
図１０はハニカム構造体層を巻き込むジオグリッド構造1ユニット分構築後に次のユニットを作成する際の断面図である。ハニカム構造体層を巻き込むジオグリッド構造1ユニット分構築された水平な版に当該ユニットの上に設置されるユニットを施工する。まず次層ユニットの底部を構成するジオグリッド７の「ジオグリッド（盛土補強部）」７ａ〜「ジオグリッド（ハニカム構造体下）」７ｂの部分を、すでに構築された既設ユニットの天版に敷設する。敷設の方法は前記で一つ目のユニットを形成した時と同様で、すなわち、既設の１ユニット目の天版の水平な版上に次のユニットのハニカム状立体補強材を設置する前にジオグリッド７を敷設する。このジオグリッド７は、１ユニット目と同様、補強土壁工法の構造計算で導き出された敷設長分の長さを確保できる程度に地山側Ｘにアンカーピン８などの固定手段で固定する。敷設されたジオグリッド上の２ユニット目のハニカム構造体層の法尻に当たる箇所にハニカム状立体補強材１を展張しながら載置する。
【００５８】
次にジオグリッド７の上に展張しながら載置した２ユニット目最下段のハニカム状立体補強材１のセルに充填材を充填してハニカム構造体６を構築する。また、ハニカム構造体の地山側Ｘの部分にもハニカム構造体の上のレベルと同じレベルまで盛土材を撒き出してハニカム構造体と同じレベルの段を構築する。以下、１ユニット目のハニカム構造体層を巻き込むジオグリッド構造と同様の手順を経て２ユニット目のハニカム構造体層を巻き込むジオグリッド構造を構築する。
【００５９】
３ユニット目以降も前記記載と同様の方法でハニカム構造体層を巻き込むジオグリッド構造を構築していき、ジオグリッド・ハニカム擁壁の予定壁高まで当該作業を繰り返して、本発明のジオグリッド・ハニカム擁壁を完成させる。
【産業上の利用可能性】
【００６０】
本発明のジオグリッド・ハニカム擁壁の背面部に敷設されるジオグリッドが法面部を構成するハニカム構造体を巻き込むように設置することで、ジオグリッドとハニカム構造体が強固に連結されて、ハニカム擁壁とその背面に敷設されるジオグリッドとの連結に特殊な専用部材を用いずにかつ十分な強度が維持されるジオグリッド・ハニカム擁壁を構築することができる。
【符号の説明】
【００６１】
１    ハニカム状立体補強材
２    ストリップ材
３    孔
４    結合部位
５    セル
６    ハニカム構造体
７    ジオグリッド
７ａ  ジオグリッド（盛土補強部）
７ｂ  ジオグリッド（ハニカム構造体下）
７ｃ  ジオグリッド（ハニカム擁壁法面部）
７ｄ  ジオグリッド（ハニカム構造体上）
７ｅ  ジオグリッド（アンカー部）
７ｘ  縦グリッド材
７ｙ  横グリッド材
８    アンカーピン
８ａ  頭頂部
８ｂ  軸部
８ｃ  釘先部
ａ    展張方向
ｂ    断面図の視線方向
ｃ    ハニカム状立体補強材の載置方向
Ｘ    地山側
Ｙ    法面側
ｚ    断面図断面
【図１】
2017179963.tif 000003
【図２】
2017179963.tif 000004
【図３】
2017179963.tif 000005
【図４】
2017179963.tif 000006
【図５】
2017179963.tif 000007
【図６】
2017179963.tif 000008
【図７】
2017179963.tif 000009
【図８】
2017179963.tif 000010
【図９】
2017179963.tif 000011
【図１０】
2017179963.tif 000012
【図１１】
2017179963.tif 000013
【図１２】
2017179963.tif 000014
【手続補正書】
【提出日】平成29年7月5日(2017.7.5)
【手続補正１】
【補正対象書類名】特許請求の範囲
【補正対象項目名】全文
【補正方法】変更
【補正の内容】
【特許請求の範囲】
【請求項１】
板状または網状の高分子材料からなるストリップ材をはちの巣構造にしたハニカム状立体補強材に充填材を充填したハニカム構造体を略水平に複数層積層され法面部のハニカム構造体端部が段々畑のように水平面と垂直面が交互に現れるステップ構造となるステップ状ハニカム構造体層が擁壁部を構成し、当該ステップ状ハニカム構造体層の地山側に略水平にジオグリッドが配されるジオグリッド・ハニカム擁壁であって、
当該ジオグリッドがステップ状ハニカム構造体層の背面地山側に固定箇所を有し、当該ステップ状ハニカム構造体層の背面地山側から複数層積層されたステップ状ハニカム構造体層の下を通り、当該ステップ状ハニカム構造体層の法面側側面を覆い、当該ステップ状ハニカム構造体層の上部を経て、ステップ状ハニカム構造体層の背面地山側に至り、当該ステップ状ハニカム構造体層の背面地山側に固定箇所を有する状態で位置し、
前記法面部側側面を覆うジオグリッドが当該ジオグリッド・ハニカム擁壁を構成するステップ状ハニカム構造体層の各段の上端部を橋渡しするように位置し、
当該法面側側面を覆うジオグリッド部分がジオグリッド・ハニカム擁壁の法面の最も外側を構成することを特徴とするジオグリッド・ハニカム擁壁（だだし、階段状ハニカム構造体層の最も外側の法面部にコンクリートを打設するものを除く）。
【請求項２】
ジオグリッドが、
擁壁部を構成するステップ状ハニカム構造体層の背面地山側にあるジオグリッド（盛土補強部）と、
当該ジオグリッド（盛土補強部）から連続し擁壁部を構成するステップ状ハニカム構造体層の下にあるジオグリッド（ハニカム構造体下）と、
当該ジオグリッド（ハニカム構造体下）から連続し擁壁部法面を構成するステップ状ハニカム構造体層の側面部分を覆うようにあるジオグリッド（ハニカム擁壁法面部）と、
当該ジオグリッド（ハニカム擁壁法面部）から連続し擁壁部を構成するステップ状ハニカム構造体層の上にあるジオグリッド（ハニカム構造体上）と、
当該ジオグリッド（ハニカム構造体上）から連続し擁壁部を構成するステップ状ハニカム構造体層の背面地山側にあるジオグリッド（アンカー部）と、
から構成される一体のジオグリッドであることを特徴とする請求項１記載のジオグリッド・ハニカム擁壁。
【請求項３】
前記ジオグリッドが熱可塑性樹脂シートに水抜き用の孔を有する構造であって、当該孔の間隔が縦グリッド材の間隔よりも横グリッド材の間隔が広い縦長の長方形の孔を有するジオグリッドであることを特徴とする請求項１または請求項２のいずれかに記載のジオグリッド・ハニカム擁壁。
【請求項４】
前記ジオグリッドの固定箇所にアンカーピンを有することを特徴とする請求項１から請求項３のいずれかに記載のハニカム擁壁。
【請求項５】
前記ジオグリッドが、ポリオレフィン樹脂製のジオグリッドであることを特徴とする請求項１から請求項４のいずれかに記載のジオグリッド・ハニカム擁壁。
【請求項６】
板状または網状の高分子材料からなるストリップ材をはちの巣構造にしたハニカム状立体補強材に充填材を充填したハニカム構造体を略水平に複数層積層され法面部のハニカム構造体端部が段々畑のように水平面と垂直面が交互に現れるステップ構造となるステップ状ハニカム構造体層が擁壁部を構成し、当該ステップ状ハニカム構造体層の地山側に略水平にジオグリッドが配されるジオグリッド・ハニカム擁壁の構築方法であって、
予め整地された設置面にジオグリッドを敷設する工程と、
地山側に当該ジオグリッドの一端部をアンカーピンで固定する工程と、
当該ジオグリッド上のステップ状ハニカム構造体層の法尻となる箇所にハニカム状立体補強材を展張しながら載置する工程と、
当該ハニカム状立体補強材のセルに充填材を充填してハニカム構造体を構築する工程と、
当該ハニカム構造体の地山側の部分に当該ハニカム構造体の天頂のレベルと同じレベルまで盛土材を撒き出してハニカム構造体と同じレベルの段を構築する工程と、
当該ハニカム構造体の上に必要な層数分のハニカム構造体をステップ状に設置してステップ状ハニカム構造体層を設置する工程と、
ステップ状ハニカム構造体層の最下層より飛び出したジオグリッドを屈曲させ、法面部を上部方向に這わせ、ステップ状ハニカム構造体層の上端部でさらに地山側の方向に屈曲させる工程と、
当該ジオグリッドをステップ状ハニカム構造体層天頂部に這わせた後、当該ステップ状ハニカム構造体層の地山側で当該ジオグリッド他端部をアンカーピンで固定する工程、
からなる一連の工程を１ユニットとする工程を含み、
前記法面部側側面を覆うジオグリッドが当該ジオグリッド・ハニカム擁壁を構成するステップ状ハニカム構造体層の各段の上端部を橋渡しするように位置し、
当該法面側側面を覆うジオグリッド部分がジオグリッド・ハニカム擁壁の法面の最も外側を構成する、
ジオグリッド・ハニカム擁壁の構築方法（だだし、ステップ状ハニカム構造体層の最も外側の法面部にコンクリートを打設するものを除く）。
【請求項７】
請求項６記載の１ユニットの工程を複数回繰り返してジオグリッド・ハニカム擁壁を構築するジオグリッド・ハニカム擁壁の構築方法。
【手続補正２】
【補正対象書類名】明細書
【補正対象項目名】００１１
【補正方法】変更
【補正の内容】
【００１１】
請求項１記載の発明は、
板状または網状の高分子材料からなるストリップ材をはちの巣構造にしたハニカム状立体補強材に充填材を充填したハニカム構造体を略水平に複数層積層され法面部のハニカム構造体端部が段々畑のように水平面と垂直面が交互に現れるステップ構造となるステップ状ハニカム構造体層が擁壁部を構成し、当該ステップ状ハニカム構造体層の地山側に略水平にジオグリッドが配されるジオグリッド・ハニカム擁壁であって、
当該ジオグリッドがステップ状ハニカム構造体層の背面地山側に固定箇所を有し、当該ステップ状ハニカム構造体層の背面地山側から複数層積層されたステップ状ハニカム構造体層の下を通り、当該ステップ状ハニカム構造体層の法面側側面を覆い、当該ステップ状ハニカム構造体層の上部を経て、ステップ状ハニカム構造体層の背面地山側に至り、当該ステップ状ハニカム構造体層の背面地山側に固定箇所を有する状態で位置し、
前記法面部側側面を覆うジオグリッドが当該ジオグリッド・ハニカム擁壁を構成するステップ状ハニカム構造体層の各段の上端部を橋渡しするように位置し、
当該法面側側面を覆うジオグリッド部分がジオグリッド・ハニカム擁壁の法面の最も外側を構成することを特徴とするジオグリッド・ハニカム擁壁（だだし、階段状ハニカム構造体層の最も外側の法面部にコンクリートを打設するものを除く）である。
【手続補正３】
【補正対象書類名】明細書
【補正対象項目名】００１２
【補正方法】変更
【補正の内容】
【００１２】
請求項２記載の発明は、
ジオグリッドが、
擁壁部を構成するステップ状ハニカム構造体層の背面地山側Ｘにあるジオグリッド（盛土補強部）と、
当該ジオグリッド（盛土補強部）から連続し擁壁部を構成するステップ状ハニカム構造体層の下にあるジオグリッド（ハニカム構造体下）と、
当該ジオグリッド（ハニカム構造体下）から連続し擁壁部法面を構成するステップ状ハニカム構造体層の側面部分を覆うようにあるジオグリッド（ハニカム擁壁法面部）と、
当該ジオグリッド（ハニカム擁壁法面部）から連続し擁壁部を構成するステップ状ハニカム構造体層の上にあるジオグリッド（ハニカム構造体上）と、
当該ジオグリッド（ハニカム構造体上）から連続し擁壁部を構成するステップ状ハニカム構造体層の背面地山側Ｘにあるジオグリッド（アンカー部）と、
から構成される一体のジオグリッドであることを特徴とする請求項１記載のジオグリッド・ハニカム擁壁である。
【手続補正４】
【補正対象書類名】明細書
【補正対象項目名】００１９
【補正方法】変更
【補正の内容】
【００１９】
請求項６記載の発明は、
板状または網状の高分子材料からなるストリップ材をはちの巣構造にしたハニカム状立体補強材に充填材を充填したハニカム構造体を略水平に複数層積層され法面部のハニカム構造体端部が段々畑のように水平面と垂直面が交互に現れるステップ構造となるステップ状ハニカム構造体層が擁壁部を構成し、当該ステップ状ハニカム構造体層の地山側に略水平にジオグリッドが配されるジオグリッド・ハニカム擁壁の構築方法であって、
予め整地された設置面にジオグリッドを敷設する工程と、
地山側に当該ジオグリッドの一端部をアンカーピンで固定する工程と、
当該ジオグリッド上のステップ状ハニカム構造体層の法尻となる箇所にハニカム状立体補強材を展張しながら載置する工程と、
当該ハニカム状立体補強材のセルに充填材を充填してハニカム構造体を構築する工程と、
当該ハニカム構造体の地山側の部分に当該ハニカム構造体の天頂のレベルと同じレベルまで盛土材を撒き出してハニカム構造体と同じレベルの段を構築する工程と、
当該ハニカム構造体の上に必要な層数分のハニカム構造体をステップ状に設置してステップ状ハニカム構造体層を設置する工程と、
ステップ状ハニカム構造体層の最下層より飛び出したジオグリッドを屈曲させ、法面部を上部方向に這わせ、ステップ状ハニカム構造体層の上端部でさらに地山側の方向に屈曲させる工程と、
当該ジオグリッドをステップ状ハニカム構造体層天頂部に這わせた後、当該ステップ状ハニカム構造体層の地山側で当該ジオグリッド他端部をアンカーピンで固定する工程、
からなる一連の工程を１ユニットとする工程を含み、
前記法面部側側面を覆うジオグリッドが当該ジオグリッド・ハニカム擁壁を構成するステップ状ハニカム構造体層の各段の上端部を橋渡しするように位置し、
当該法面側側面を覆うジオグリッド部分がジオグリッド・ハニカム擁壁の法面の最も外側を構成する、
ジオグリッド・ハニカム擁壁の構築方法（だだし、ステップ状ハニカム構造体層の最も外側の法面部にコンクリートを打設するものを除く）である。
【手続補正５】
【補正対象書類名】明細書
【補正対象項目名】００２５
【補正方法】変更
【補正の内容】
【００２５】
すなわち本発明は、
板状または網状の高分子材料からなるストリップ材をはちの巣構造にしたハニカム状立体補強材に充填材を充填したハニカム構造体を略水平に複数層積層され法面部のハニカム構造体端部が段々畑のように水平面と垂直面が交互に現れるステップ構造となるステップ状ハニカム構造体層が擁壁部を構成し、当該ステップ状ハニカム構造体層の地山側に略水平にジオグリッドが配されるジオグリッド・ハニカム擁壁であって、
当該ジオグリッドがステップ状ハニカム構造体層の背面地山側に固定箇所を有し、当該ステップ状ハニカム構造体層の背面地山側から複数層積層されたステップ状ハニカム構造体層の下を通り、当該ステップ状ハニカム構造体層の法面側側面を覆い、当該ステップ状ハニカム構造体層の上部を経て、ステップ状ハニカム構造体層の背面地山側に至り、当該ステップ状ハニカム構造体層の背面地山側に固定箇所を有する状態で位置し、
前記法面部側側面を覆うジオグリッドが当該ジオグリッド・ハニカム擁壁を構成するステップ状ハニカム構造体層の各段の上端部を橋渡しするように位置し、
当該法面側側面を覆うジオグリッド部分がジオグリッド・ハニカム擁壁の法面の最も外側を構成することを特徴とするジオグリッド・ハニカム擁壁（だだし、階段状ハニカム構造体層の最も外側の法面部にコンクリートを打設するものを除く）である。